(57)【要約】【課題】  自分のメールアドレスを利用してメール送信することができ、また、宛先不明になってしまうことのないネットワークカメラを提供する。【解決手段】  インターネットカメラ１０１の操作者への連絡先メールアドレスである第１のアドレスと、インターネットカメラ１０１が通知メールを送信する送信先メールアドレスである第２のアドレスと、メールサーバーに接続してメールを送信するメール送信手段と、第１のメールサーバー手段とを有し、メール送信手段が第１のアドレスを管理する第２のメールサーバーに接続できる時は、メール送信手段は第２のメールサーバーを介して第２のアドレスへのメール送信を実行し、メール送信手段が第１のアドレスを管理する第２のメールサーバーに接続できない時は、メール送信手段は第１のメールサーバーを介して第２のアドレスへのメール送信を実行する。【選択図】        図１
2005223703.tif 000002
【特許請求の範囲】
【請求項１】
メール送信する機能を備えたネットワークカメラであって、
前記ネットワークカメラの操作者への連絡先メールアドレスである第１のアドレスと、
前記ネットワークカメラが通知メールを送信する送信先メールアドレスである第２のアドレスと、
メールサーバーに接続してメールを送信するメール送信手段と、
第１のメールサーバー手段と、
を有し、
前記メール送信手段が前記第１のアドレスを管理する第２のメールサーバーに接続できる時は、前記メール送信手段は前記第２のメールサーバーを介して前記第２のアドレスへのメール送信を実行し、
前記メール送信手段が前記第１のアドレスを管理する第２のメールサーバーに接続できない時は、前記メール送信手段は前記第１のメールサーバーを介して前記第２のアドレスへのメール送信を実行する、
ことを特徴とするネットワークカメラ。
【請求項２】
前記請求項１に記載のネットワークカメラにおいて、
前記第１のメールサーバーを介して前記第２のアドレスへのメール送信を実行する時に、前記第１のアドレスをメール送信者のメールアドレスとして通知する、
ことを特徴とするネットワークカメラ。
【発明の詳細な説明】
【技術分野】
【０００１】
本発明は、メール送信機能を有するネットワークカメラに関する。
【背景技術】
【０００２】
近年の通信技術およびデジタル画像処理技術の進歩にともない、カメラで撮影した画像をＰＨＳなどの公衆通信回線や無線ＬＡＮなどを介してインターネットに接続し、電子メールを使用して遠隔地の通信端末に画像を送信して閲覧する、というインターネットカメラが登場するようになった。
【０００３】
このようなインターネットカメラは、カメラで撮影した画像を符号化装置で符号化データにデータ圧縮し、そしてＰＨＳ通信カードなどを用いて公衆無線回線に接続し、ＰＰＰ（Ｐｏｉｎｔ−ｔｏ−Ｐｏｉｎｔ  Ｐｒｏｔｏｃｏｌ）手順を用いてインターネットサービス業者のアクセスポイント経由でインターネットに接続したり、無線ＬＡＮカードを用いてアクセスポイント経由でインターネットに接続し、符号化データを遠隔地の通信端末にメール送信する。
【０００４】
また、このようなインターネットカメラは、近年のセキュリティー意識の高まりから、個人向けの簡易遠隔監視カメラとしての利用が望まれるようになり、タイマー設定により予め定めた時間や時間間隔毎に映像を撮影して送信したり、ドアや窓などに取り付けた外部センサーなどからのトリガ入力に同期して映像を撮影して送信する、という動作をする。
【０００５】
インターネットカメラが撮影した画像は、一般に普及しているインターネット上の電子メールに添付ファイルという手法で添付し送信しているが、この通信プロトコルはインターネットに接続したＵＮＩＸ（登録商標）サーバー間のメール通信プロトコルとして定義されている。
【０００６】
このメール通信プロトコルとして一般に使用されているのが、ＳＭＴＰ（Ｓｉｍｐｌｅ  Ｍａｉｌ  ｔｒａｎｓｆｅｒ  Ｐｒｏｔｏｃｏｌ）で、その詳細はＲＦＣ８２１（Ｒｅｑｕｅｓｔ  Ｆｏｒ  Ｃｏｍｍｅｎｔｓ  ８２１）として定義されている。このＳＭＴＰプロトコルは通常ｓｅｎｄｍａｉｌプログラムによって実現されており、メール送信を実行するＳＭＴＰクライアント機能とメール受信を実行するＳＭＴＰサーバー機能に分けられ、それぞれ独立して動作している。
【０００７】
なお、電子メールを送信する方法については、すでに提案されている（例えば、特許文献１〜４参照。）。
【特許文献１】特開平１０−２４３２０５号公報
【特許文献２】特開平１１−１５４９６８号公報
【特許文献３】特開平９−３２１７９１号公報
【特許文献４】特開２０００−２９９６９７号公報
【発明の開示】
【発明が解決しようとする課題】
【０００８】
上述のようなインターネットカメラでは、インターネット上に設置されたインターネットプロバイダ等のメールサーバーに接続して、このメールサーバー経由で画像を添付した電子メールを送信する方法でシステムを実現している。
【０００９】
しかしプロバイダによっては、システム構成がインターネット側にオープンではない構成になっていて、メールサーバーにインターネット経由では接続できない場合がある。
【００１０】
従ってユーザーにとっては、もともとユーザーが持っていた契約プロバイダでは利用できなかったり、新たに契約する場合でも利用可能なプロバイダが限定される、という問題があった。
【００１１】
また、送信先のメールサーバーがダウンしていたり送信先アドレスが契約切れで使用できなくなっていたりといった不具合により使用できない等の理由でインターネットカメラが内蔵するメールサーバーから送信したメールが返送されてきた場合、インターネットカメラは常にインターネットに接続しているとは限らないため、インターネットカメラ内に内蔵するメールサーバーが見つからず、宛先不明になってしまう場合がある、という問題があった。
【００１２】
本発明は、上記のような問題点に鑑みてなされたもので、自分のメールアドレスを利用してメール送信することができ、また、宛先不明になってしまうことのないネットワークカメラを提供することを目的としている。
【課題を解決するための手段】
【００１３】
このような問題点を解決するために、本発明によるネットワークカメラは、ネットワークカメラの操作者への連絡先メールアドレスである第１のアドレスと、ネットワークカメラが通知メールを送信する送信先メールアドレスである第２のアドレスと、メールサーバーに接続してメールを送信するメール送信手段と、第１のメールサーバー手段と、を有し、メール送信手段が第１のアドレスを管理する第２のメールサーバーに接続できる時は、メール送信手段は第２のメールサーバーを介して第２のアドレスへのメール送信を実行し、メール送信手段が第１のアドレスを管理する第２のメールサーバーに接続できない時は、メール送信手段は第１のメールサーバーを介して第２のアドレスへのメール送信を実行する。
【００１４】
またさらに、第１のメールサーバーを介して前記第２のアドレスへのメール送信を実行する時に、第１のアドレスをメール送信者のメールアドレスとして通知する。
【発明の効果】
【００１５】
本発明によれば、例えばプロバイダのシステム構成がインターネット側にオープンではない構成になっていて、メールサーバーにインターネット経由では接続できない場合であっても、自分のメールアドレスを使用してメール送信することが可能になる。
【００１６】
またさらに、送信先のメールサーバーがダウンしていたり送信先アドレスが契約切れで使用できなくなっていたりといった不具合があってネットワークカメラが内蔵するメールサーバーから送信したメールが返送されてきた場合であっても、送信者のアドレスがメールサーバーに返送されるので、ネットワークカメラ内に内蔵するメールサーバーが見つからず宛先不明になってしまう、という問題が解消される。
【発明を実施するための最良の形態】
【００１７】
以下、本発明の実施例を図面について説明する。
【実施例１】
【００１８】
本発明によるネットワークカメラによるインターネット経由のメール転送方式の概念図を図１に示す。
【００１９】
１０１はインターネットカメラ、１０２はアクセスポイント、１０３はインターネット、１０４はメール送信者のアドレスの属するメールサーバー１、１０５はメール受信者のアドレスの属するメールサーバー２、１０６はメール受信者の操作するパーソナルコンピューター（ＰＣ）、１０７は撮影画像のデータをメール送信するメール送信プログラム、１０８はインターネットカメラ（１０１）に内蔵するメール送信プロトコルであるＳＭＴＰクライアント０、１０９はメールサーバー１（１０４）に内蔵するメール送信プロトコルであるＳＭＴＰクライアント１、１１０はメールサーバー２（１０５）に内蔵するメール受信プロトコルであるＳＭＴＰサーバー２、１１１はメールサーバー２（１０５）に内蔵するメールボックス２、１１２はＰＣ（１０６）に内蔵するメール受信プログラム、である。
【００２０】
１０１のインターネットカメラは図示していない内蔵センサーによって撮影動作が起動され、予め設定してあるメールアドレスに撮影画像を添付ファイルとしてデータ添付してメール送信する。
【００２１】
メール送信プログラム（１０７）は前述の撮影画像をメール送信するプログラムで、このプログラムには、送信元メールアドレス、送信先メールアドレス、などを予め操作者が設定する。
【００２２】
送信元メールアドレスとは、送信メールのヘッダ情報にあるｆｒｏｍ行にかかれているメールアドレスで、受信者が受け取ったメールの送信者を識別したり、返信メールを指定するために使用する。本実施例では送信元メールアドレスａｂｃ＠ｈｏｓｔ１とする。
【００２３】
送信先メールアドレスとは、撮影した画像を送信する宛先のメールアドレスで、送信メールのヘッダ情報にあるｔｏ行にかかれているメールアドレスである。本実施例では送信先メールアドレスをｘｙｚ＠ｈｏｓｔ２とする。
【００２４】
ＳＭＴＰクライアント０（１０８）はメール送信プログラム（１０７）からメールを受け取り（１１４）、メールの送信先がｘｙｚ＠ｈｏｓｔ２であることを識別して、ｈｏｓｔ２のドメインを管理するメールサーバー２（１０５）のＳＭＴＰサーバー２（１１０）と相互に通信し、メールをＳＭＴＰサーバー２（１１０）に送信する（１１５）。
【００２５】
アクセスポイント（１０２）は、インターネットカメラ（１０１）をインターネットに接続するための装置で、インターネットカメラ（１０１）がインターネットに接続するときのユーザー認証を行い、さらにダイナミックＤＮＳ機能を備えてインターネットカメラ（１０１）に、インターネット上から装置を識別するためのＩＰアドレスとホスト名を提供する。
【００２６】
１０５のメールサーバー２は、インターネットに常時接続されているサーバーで、前述したようにメールアドレスｘｙｚ＠ｈｏｓｔ２の属するドメインｈｏｓｔ２を管理するサーバーである。
【００２７】
メールサーバー２（１０５）には、メール受信を処理するＳＭＴＰサーバー２（１１０）を備えており、受信したメールを各宛先ごとのメールボックス２（１１１）に格納する。本実施例では、ｘｙｚ＠ｈｏｓｔ２宛てのメールがメールボックス２（１１１９に格納（１１７）される。
【００２８】
メールアドレスｘｙｚ＠ｈｏｓｔ２の所有者は、インターネットに接続したＰＣ（１０６）からメール受信プログラム（１１２）を起動し、メールサーバー２（１０５）にユーザー認証をして接続し、メールボックス（１１１）に蓄積されている受信データをＰＣに転送（１１８）してメールおよび添付データを閲覧する。
【００２９】
上述の説明では、インターネットカメラ（１０１）は内蔵のＳＭＴＰクライアント０（１０８）を使用してメールを送信したが、もう一つの送信方法として、外部のメールサーバーを使用することも出来る。
【００３０】
メールサーバー１（１０４）はインターネットカメラ（１０１）の操作者が持つメールアドレスａｂｃ＠ｈｏｓｔ１のメールサーバーで、内部のＳＭＴＰクライアント１（１０９）がメールの送信処理を実行する。また、図示していないが、メールサーバー１（１０４）にはＳＭＴＰサーバー機能も備えていて、ａｂｃ＠ｈｏｓｔ宛てのメールを受信し、図示していないメールボックスに保管する。
【００３１】
この外部メールサーバーを使用する場合、インターネットカメラ（１０１）のメール送信プログラム（１０７）は、アクセスポイント（１０２）経由でメールサーバー１（１０４）のＳＭＴＰクライアント１（１０９）に接続する。
【００３２】
そしてＳＭＴＰクライアント１（１０９）がメール送信プログラム（１０７）からメールを受け取る（１１３）と、前述と同様に、メールの送信先がｘｙｚ＠ｈｏｓｔ２であることを識別して、ｈｏｓｔ２のドメインを管理するメールサーバー２（１０５）のＳＭＴＰサーバー２（１１０）と相互に通信し、メールをＳＭＴＰサーバー２（１１０）に送信（１１６）する。
【００３３】
メールサーバー２（１０５）のＳＭＴＰサーバー２（１１０）は、受信したｘｙｚ＠ｈｏｓｔ２宛てのメールをメールボックス２（１１１９に格納（１１７）する。
【００３４】
そして前述と同様に、メールアドレスｘｙｚ＠ｈｏｓｔ２の所有者は、インターネットに接続したＰＣ（１０６）からメール受信プログラム（１１２）を起動し、メールサーバー２（１０５）にユーザー認証をして接続し、メールボックス（１１１）に蓄積されている受信データをＰＣに転送（１１８）してメールおよび添付データを閲覧する。
【００３５】
次に、メールサーバー１（１０４）のＳＭＴＰクライアント１（１０９）を介してメールサーバー（１０５）のＳＭＴＰサーバー２（１１０）にメールを送信するプロトコルについて、図２を用いて詳細に説明する。
【００３６】
まず、メール送信プログラム（１０７）がメールをＳＭＴＰクライアント１（１０９）に送る（Ｓ１）と、ＳＭＴＰクライアント１（１０９）は、ＴＣＰ／ＩＰプロトコルに従い、メールヘッダの送信先アドレスａｂｃ＠ｈｏｓｔ２で指定しているドメインｈｏｓｔ２であるところのメールサーバー２（１０５）のＴＣＰポート２５に接続を行う。
【００３７】
ここで、ＴＣＰポート２５はＳＭＴＰサーバーで使用するポートで、広く一般に用いられている。
【００３８】
ＳＭＴＰサーバー２（１１０）によってＴＣＰポート２５への接続が許可されると（Ｓ３）、つづいてＳＭＴＰクライアント１（１０９）は自分のドメイン名のｈｏｓｔ１をＳＭＴＰサーバー２（１１０）に通知する（Ｓ４）。
【００３９】
ドメイン名がＳＭＴＰサーバー２（１１０）によって確認されると（Ｓ５）、つぎにメール送信者のメールアドレスａｂｃ＠ｈｏｓｔ１が通知（Ｓ６）され、送信者のメールアドレスがＳＭＴＰサーバー２（１１０）によって確認される（Ｓ７）と、つづいてメール送信先のメールアドレスｘｙｚ＠ｈｏｓｔ２が通知（Ｓ８）される。
【００４０】
そして、ＳＭＴＰクライアント１（１０９）から通知された送信先メールアドレスのｘｙｚ＠ｈｏｓｔ２がメールサーバー２の管理するドメインのメールアドレスの中に含まれていれば、ＳＭＴＰサーバー２（１１０）は確認通知（Ｓ７）を返す。
【００４１】
ここで、ＳＭＴＰクライアント１（１０９）から通知された送信先メールアドレスのｘｙｚ＠ｈｏｓｔ２がメールサーバー２の管理するドメインのメールアドレスの中に含まれていなければ、ＳＭＴＰサーバー２（１１０）は拒否通知を返して送信処理を中止し、ＴＣＰポート２５の接続を終了する。
【００４２】
なお前述の拒否通知はＲＦＣ８２１に規定されるＳＭＴＰプロトコルの応答コードの、５５０指定メールボックスが無い、５５１指定ユーザーが無い、などである。
【００４３】
送信先のメールアドレスｘｙｚ＠ｈｏｓｔ２がＳＭＴＰサーバー２（１１０）によって確認される（Ｓ９）と、ＳＭＴＰクライアント１（１０９）はメール送信するデータをＳＭＴＰサーバー２（１０５）に全て送信する（Ｓ１２）。
【００４４】
全てのデータを送信したら、ＳＭＴＰクライアント１（１０９）は送信データの終了を示す”．”だけのデータをＳＭＴＰサーバー２（１１０）に送る（Ｓ１３）。
【００４５】
本文終了（Ｓ１３）がＳＭＴＰサーバー２（１１０）によって確認されると（Ｓ１４）、ＳＭＴＰクライアント１（１０９）はＳＭＴＰサーバーとの接続を終了するメッセージＱＵＩＴをＳＭＴＰサーバー２（１１０）に送り（Ｓ１５）、ＱＵＩＴを受け取ったＳＭＴＰサーバー２（１１０）は、接続終了を示す応答を返す（Ｓ１６）。
【００４６】
そして最後にＳＭＴＰクライアント１（１０９）がＴＣＰポート２５の接続終了を通知（Ｓ１７）して本メール送信手順を終了する。
【００４７】
次に、インターネットカメラ（１０１）のＳＭＴＰクライアント０（１０８）を介してメールサーバー（１０５）のＳＭＴＰサーバー２（１１０）にメールを送信するプロトコルについて、図３を用いて詳細に説明する。
【００４８】
この場合、ＳＭＴＰクライアント（１０８）のホスト名はアクセスポイント（１０２）より提供されたホスト名になるが、本実施例ではホスト名をｈｏｓｔ０とする。
【００４９】
まず、メール送信プログラム（１０７）がメールをＳＭＴＰクライアント０（１０８）に送る（Ｓ２１）と、ＳＭＴＰクライアント２（１０８）は、ＴＣＰ／ＩＰプロトコルに従い、メールヘッダの送信先アドレスａｂｃ＠ｈｏｓｔ２で指定しているドメインｈｏｓｔ２であるところのメールサーバー２（１０５）のＴＣＰポート２５に接続を行う。
【００５０】
ＳＭＴＰサーバー２（１１０）によってＴＣＰポート２５への接続が許可されると（Ｓ２３）、つづいてＳＭＴＰクライアント０（１０８）は操作者が予め設定したマスタメールアドレスａｂｃ＠ｈｏｓｔ１からドメイン名のｈｏｓｔ１を識別してＳＭＴＰサーバー２（１１０）に通知する（Ｓ２４）。
【００５１】
マスタメールアドレスとは、本インターネットカメラの操作者へ送る通知メールのメールアドレスで、インターネットカメラ（１０１）の動作状況や通信エラーなどの通知先として使用する。
【００５２】
ドメイン名がＳＭＴＰサーバー２（１１０）によって確認されると（Ｓ２５）、つぎにマスタメールアドレスａｂｃ＠ｈｏｓｔ１が通知（Ｓ２６）され、マスタメールアドレスがＳＭＴＰサーバー２（１１０）によって確認される（Ｓ２７）と、つづいてメール送信先のメールアドレスｘｙｚ＠ｈｏｓｔ２が通知（Ｓ２８）される。
【００５３】
そして、ＳＭＴＰクライアント０（１０８）から通知された送信先メールアドレスのｘｙｚ＠ｈｏｓｔ２がメールサーバー２の管理するドメインのメールアドレスの中に含まれていれば、ＳＭＴＰサーバー２（１１０）は確認通知（Ｓ２７）を返す。
【００５４】
ここで、ＳＭＴＰクライアント０（１０８）から通知された送信先メールアドレスのｘｙｚ＠ｈｏｓｔ２がメールサーバー２の管理するドメインのメールアドレスの中に含まれていなければ、ＳＭＴＰサーバー２（１１０）は拒否通知を返して送信処理を中止し、ＴＣＰポート２５の接続を終了する。
【００５５】
送信先のメールアドレスｘｙｚ＠ｈｏｓｔ２がＳＭＴＰサーバー２（１１０）によって確認される（Ｓ２９）と、ＳＭＴＰクライアント０（１０８）はメール送信するデータをＳＭＴＰサーバー２（１０５）に全て送信する（Ｓ３２）。
【００５６】
全てのデータを送信したら、ＳＭＴＰクライアント０（１０８）は送信データの終了を示す”．”だけのデータをＳＭＴＰサーバー２（１１０）に送る（Ｓ３３）。
【００５７】
本文終了（Ｓ３３）がＳＭＴＰサーバー２（１１０）によって確認されると（Ｓ３４）、ＳＭＴＰクライアント０（１０８）はＳＭＴＰサーバーとの接続を終了するメッセージＱＵＩＴをＳＭＴＰサーバー２（１１０）に送り（Ｓ３５）、ＱＵＩＴを受け取ったＳＭＴＰサーバー２（１１０）は、接続終了を示す応答を返す（Ｓ３６）。
【００５８】
そして最後にＳＭＴＰクライアント０（１０８）がＴＣＰポート２５の接続終了を通知（Ｓ３７）して本メール送信手順を終了する。
【００５９】
次に、本インターネットカメラ（１０１）がメールを送信する時、ＳＭＴＰクライアント０（１０８）とＳＭＴＰクライアント１（１０９）のどちらに送信するかを、図４のフローチャートを用いて説明する。
【００６０】
メール送信処理が始まると、本インターネットカメラ（１０１）はまずアクセスポイント（１０２）に接続（Ｓ４０）してホスト名およびＩＰアドレスを取得してインターネットとの接続を確立する。
【００６１】
つぎに、メール送信プログラム（１０７）が、操作者が予めインターネットカメラに設定したマスタメールアドレスと送信先メールアドレスを読み出す（Ｓ４１）。
【００６２】
そしてメール送信プログラム（１０７）は、まずマスタメールアドレスのドメイン情報が示すメールサーバー１（１０４）のＳＭＴＰクライアント１（１０９）に接続を試みる。
【００６３】
ここでＳＭＴＰクライアント１（１０９）への接続がＯＫであるとは、前述の図２における処理Ｓ１〜Ｓ７が正常に完了した状態を示し、途中で不具合が発生したときは接続失敗と判断する。
【００６４】
ＳＭＴＰクライアント０に接続が成功すると、メール送信プログラム（１０７）はＳＭＴＰクライアント１（１０９）にメールの送信先アドレスを通知（Ｓ８）する（Ｓ４３）。
【００６５】
この時ＳＭＴＰクライアント１（１０９）は送信先メールアドレスによって示されるＳＭＴＰサーバー２（１１０）に接続して送信先メールアドレスの問い合わせ（Ｓ８）を行う。
【００６６】
ＳＭＴＰサーバー２（１１０）から送信先メールアドレスの確認応答（Ｓ９）が帰ってくれば、ＳＭＴＰ２サーバー（１１０）との接続がＯＫであると判断し（Ｓ４４）、ＳＭＴＰクライアント１（１０９）からＳＭＴＰサーバー２（１１０）にメール本文のデータを転送する（Ｓ４５）。
【００６７】
前述の処理Ｓ４２でＳＭＴＰクライアント１（１０９）への接続がＮＧであった場合、および処理Ｓ４４でＳＭＴＰサーバー２（１１０）への接続がＮＧであった場合には、メール送信プログラム（１０７）はＳＭＴＰクライアント０（１０８）に前述の処理Ｓ１〜Ｓ７の手順で接続し、送信先メールアドレスを通知する（Ｓ４６）。
【００６８】
この時ＳＭＴＰクライアント０（１０８）は送信先メールアドレスによって示されるＳＭＴＰサーバー２（１１０）に接続して送信先メールアドレスの問い合わせ（Ｓ８）を行う。
【００６９】
ＳＭＴＰサーバー２（１１０）から送信先メールアドレスの確認応答（Ｓ９）が帰ってくれば、ＳＭＴＰ２サーバー（１１０）との接続がＯＫであると判断し（Ｓ４７）、ＳＭＴＰクライアント０（１０８）からＳＭＴＰサーバー２（１１０）にメール本文のデータを転送する（Ｓ４８）。
【００７０】
前述の処理Ｓ４７でＳＭＴＰサーバー２（１１０）への接続がＮＧであった場合には、通信失敗と判断してインターネットカメラ（１０１）が備えるエラー表示手段により通信エラーを表示する（Ｓ４９）。
【００７１】
そして処理Ｓ４５、Ｓ４８、Ｓ４９が終了したら、接続終了処理（Ｓ１５〜Ｓ１７）を行って（Ｓ５０）、本メール送信処理を終了する。
【実施例２】
【００７２】
実施例１では、送信先メールアドレスを１つの場合で説明したが、複数の送信先メールアドレスを設定できるようにして、複数のメールを送信するようにしても良い。
【００７３】
また、メールサーバーのプロトコルはＳＭＴＰに限らず、ＵＵＣＰやそれ以外の方式であっても良い。
【００７４】
さらに、インターネットカメラはＳＭＴＰクライアントだけでなく、ＳＭＴＰサーバーを備えていても良い。この場合、受信したメールは第１のメールアドレスに転送することで、上記と同様の機能を実現できる。
【図面の簡単な説明】
【００７５】
【図１】本発明によるネットワークカメラのメール転送方式の概念図。
【図２】ＳＭＴＰクライアント１とＳＭＴＰサーバー２の間のメール転送手順を示した図。
【図３】ＳＭＴＰクライアント０とＳＭＴＰサーバー２の間のメール転送手順を示した図。
【図４】本発明によるインターネットカメラのメール送信手順を示した図。
【符号の説明】
【００７６】
１０１  本発明によるインターネットカメラ
１０７  メール送信手段であるところのメール送信プログラム
１０８  第１のメールサーバーであることころのＳＭＴＰクライアント０
Ｓ２６  第１のアドレスを通知する処理
Ｓ２８  第２のアドレスを通知する処理
【図１】
2005223703.tif 000003
【図２】
2005223703.tif 000004
【図３】
2005223703.tif 000005
【図４】
2005223703.tif 000006